(57)【要約】【課題】  食器用や台所廻り用などの洗浄剤として適した硬質表面用洗浄剤の提供。【解決手段】  （ａ）分子量が９０〜５００の多価カルボン酸又はその塩から選ばれる１種以上を２．５〜８質量％、（ｂ）炭素数８〜１８の分岐炭化水素基を有する界面活性剤を２〜２５質量％、（ｃ）炭素数８〜１６の直鎖炭化水素基を有するアルカノールアミド型界面活性剤を３〜１５質量％、及び水を含有し、（ｂ）成分／（ｃ）成分の質量比が０．５〜１０である硬質表面用洗浄剤。【選択図】  なし【特許請求の範囲】
【請求項１】
（ａ）分子量が９０〜５００の多価カルボン酸又はその塩から選ばれる１種以上を２．５〜８質量％、
（ｂ）炭素数８〜１８の分岐炭化水素基を有する界面活性剤を２〜２５質量％、
（ｃ）炭素数８〜１６の直鎖炭化水素基を有するアルカノールアミド型界面活性剤を３〜１５質量％、及び水を含有し、
（ｂ）成分／（ｃ）成分の質量比が０．５〜１０である硬質表面用洗浄剤。
【請求項２】
（ｂ）成分が、分岐構造を有する炭素数１０〜１８の炭化水素基を１つと、分子中にスルホン酸（塩）基及び／又は硫酸エステル塩基を有する陰イオン界面活性剤である請求項１記載の硬質表面用洗浄剤。
【請求項３】
（ｂ）成分が、分岐構造を有する炭素数８〜１８のアルキル基を一つと、残りが炭素数１〜３のアルキル基であるアミンオキシド化合物である請求項１又は２記載の硬質表面用洗浄剤。
【請求項４】
（ｂ）成分が炭素数８〜１０の分岐アルキル基を有する非イオン界面活性剤である請求項１〜３何れか記載の硬質表面用洗浄剤。
【請求項５】
２０℃におけるｐＨが３以上７未満である請求項１〜４何れか記載の硬質表面用洗浄剤。
【請求項６】
更に炭素数１〜３のアルキル基又はヒドロキシ基で置換していてもよいベンゼンスルホン酸又はその塩及びベンゼンカルボン酸又はその塩を１〜１０質量％含有する請求項１〜５何れか記載の硬質表面用洗浄剤
【発明の詳細な説明】
【技術分野】
【０００１】
本発明は、食器用や台所廻り用などの洗浄剤として適した硬質表面用洗浄剤に関する。
【背景技術】
【０００２】
特許文献１には、食器洗いとキッチンのシンクの水垢などを洗浄できることが記載されている。特許文献２〜４には、クエン酸を含有する食器洗い洗浄剤組成物が記載されており、これら公報にはアルカノールアミド型界面活性剤を用いることが記載されている。また、特許文献５〜７には分岐構造を有する界面活性剤を含有する洗浄剤の技術が開示されている。
【特許文献１】特開２００３−２７０９９号公報
【特許文献２】特開２００１−１７２６９７号公報
【特許文献３】特開平７−３１００９９号公報
【特許文献４】特開平１１−８０７８４号公報
【特許文献５】特開昭５６−１２２８９８号公報
【特許文献６】特開昭６４−４０５９８号公報
【特許文献７】特開昭５２−１５２４０５号公報
【発明の開示】
【発明が解決しようとする課題】
【０００３】
付着汚れの違いから、通常、食器洗い洗浄剤はガラスコップなどの食器を洗浄する目的で用いられ、台所のシンク廻りなどに付着した水垢汚れの洗浄には、研磨剤を含有する洗浄剤が用いられている。しかし、研磨剤入りの洗浄剤は、非常に高い水垢汚れ除去性能を有する一方で、ステンレス製や樹脂製のシンク表面を傷つけて、光沢を損なうという課題がある。このため、消費者の間では、研磨剤の入っていない食器洗い洗浄剤を用いてシンクを洗浄することも行われているが、このような食器洗い洗浄剤では、シンク廻りの水垢などの汚れを満足できる程度まで落とすことはできない。また、特許文献１〜６の技術では、食器の油汚れやキッチンシンクの水垢汚れの両方に対する洗浄力が優れているとの効果が明らかにされたものはない。
【０００４】
水垢汚れ洗浄力を向上させるためには、多価カルボン酸などのキレート化剤を多量に含有することが考えられる。しかしながら、このような多価カルボン酸を多量に含有する洗浄剤は泡立ちが著しく損なわれ、油汚れに対する洗浄力も低下する。泡立ち性は食器洗い用の洗浄剤には必要不可欠な物性であり、油汚れ洗浄力の低下は商品価値を著しく損なうものである。また、食器洗い用洗浄剤組成物は、界面活性剤の含有量が高く濃縮された形態が一般に好まれており、このような濃縮型の洗浄剤に多価カルボン酸を多量に配合すると低温において沈殿が生じるなどの不都合が生じる。
【０００５】
分岐構造を有する界面活性剤を用いる技術は特許文献５〜７を参考にすることができるが、これら技術においても無機質汚れ除去に対する技術的課題や解決手段について全く示唆するものではない。
【０００６】
本発明の課題は、起泡力及び低温安定性が良く、水垢汚れ（無機質汚れ）及び油汚れの何れにも高い洗浄効果を有する硬質表面用洗浄剤を提供することにある。
【課題を解決するための手段】
【０００７】
本発明は、課題の解決手段として、
（ａ）分子量が９０〜５００の多価カルボン酸（塩）から選ばれる１種以上を２．５〜８質量％、
（ｂ）炭素数８〜１８の分岐炭化水素基を有する界面活性剤を２〜２５質量％、
（ｃ）炭素数８〜１６の直鎖炭化水素基を有するアルカノールアミド型界面活性剤を３〜１５質量％、及び水を含有し、
（ｂ）成分／（ｃ）成分の質量比が0.5〜10である硬質表面用洗浄剤を提供する。
【発明の効果】
【０００８】
本発明の硬質表面用洗浄剤は、水垢汚れ（無機質汚れ）洗浄力、油汚れ洗浄力、起泡力及び低温安定性が優れているので、従来技術の課題を解決することができ、食器用や台所廻り用などの洗浄剤として適している。
【発明を実施するための最良の形態】
【０００９】
＜（ａ）成分＞
本発明の（ａ）成分は、分子量９０〜５００の多価カルボン酸又はその塩であり、具体的には下記（ａ１）群及び（ａ２）群から選ばれる１種以上の化合物が好適である。
【００１０】
（ａ１）群；ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラアミン六酢酸、ジエンコル酸、アルキルグリシン−Ｎ，Ｎ−ジ酢酸、アスパラギン酸−Ｎ，Ｎ−ジ酢酸、セリン−Ｎ，Ｎ−ジ酢酸、グルタミン酸二酢酸、エチレンジアミンコハク酸などのアミノポリ酢酸又はこれらの塩、好ましくはアルカリ金属塩もしくはアルカノールアミン塩。
【００１１】
（ａ２）群；ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキメチル酒石酸などの有機酸又はこれらのアルカリ金属塩もしくはアルカノールアミン塩。
【００１２】
本発明においては特に（ａ２）群の化合物を用いた場合に、無機質汚れ除去効果を（ｂ）及び（ｃ）成分と共に相乗的に向上させることができるため好ましく、特にクエン酸が好適である。
【００１３】
＜（ｂ）成分＞
本発明の（ｂ）成分は、炭素数８〜１８の分岐炭化水素基を有する界面活性剤であり、（ａ）成分を含有した場合の起泡力と洗浄力の低下を引き起こすことがなく、低温安定性の課題を解決することができる。ここで分岐炭化水素基とは、１つの炭素原子に３個又は４個の炭素原子が結合した部位が１つ以上有する炭化水素基である。
【００１４】
（ｂ）成分として好ましい界面活性剤としては、
（ｂ１）分岐構造を有する炭素数１０〜１８の炭化水素基を１つと、分子中にスルホン酸（塩）基及び／又は硫酸エステル塩基を有する陰イオン界面活性剤、
（ｂ２）分岐構造を有する炭素数８〜１８のアルキル基を一つと、残りが炭素数１〜３のアルキル基であるアミンオキシド化合物から選ばれる化合物、並びに
（ｂ３）炭素数８〜１０の分岐アルキル基を有する非イオン界面活性剤から選ばれる化合物が好適である。
【００１５】
（ｂ１）の好適な例としては、
（ｂ1-1）分岐構造を有する炭素数１０〜１８のアルキル硫酸エステル塩、
（ｂ1-2）分岐構造を有する炭素数１０〜１８のアルキル基及び平均付加モル数が１〜６のアルキレン基（アルキレン基の炭素数は２又は３）のポリオキシアルキレンアルキルエーテル硫酸エステル塩を挙げることができる。
【００１６】
（ｂ1-1）としては、炭素数８〜１４の１−アルケンをヒドロホルミル化して得られたアルコールを３酸化硫黄もしくはクロロスルホン酸を用いて硫酸エステル化して得ることができる。ヒドロホルミル化反応によると、一酸化炭素がオレフィン炭素のα位に付加して得られる直鎖１級アルコールと、β位に付加して得られる分岐鎖１級アルコールとの混合物が得られる。
【００１７】
このような混合物を硫酸エステル化した場合、
（ｂ1-1-1）硫酸エステル基に対してβ位にメチル基が分岐した炭素数９〜１５の分岐鎖アルキル硫酸エステル塩、及び
（ｄ1-1）炭素数９〜１５の直鎖アルキル硫酸エステル塩の混合物が得られる。
【００１８】
本発明では（ｂ1-1-1）／（ｄ1-1）が、モル比で０．２〜０．８が好ましく、より好ましくは０．３〜０．８、特に好ましくは０．３〜０．７の混合物が好適である。
【００１９】
（ｂ1-1）成分として好ましいもう一つの化合物としては、炭素数４〜８のアルデヒドをアルドール縮合させた後、還元して得られるゲルベ型アルコールを３酸化硫黄もしくはクロロスルホン酸を用いて硫酸エステル化して得られる化合物を挙げることができる。この場合、（ｂ1-1-2）硫酸エステル基に対して、β位に炭素数２〜６のアルキル基が分岐した炭素数８〜１６の分岐鎖アルキル硫酸エステル塩が得られる。
【００２０】
本発明では、これら以外に例えばイソブテンの２両体をヒドロホルミル化して得られる３，５，５−トリメチルヘキサノール、イソブテンの３両体をヒドロホルミル化して得られる多分岐トリデカノールを硫酸エステル化して得られる、（ｂ1-1-3）メチル基が２〜６個分岐した炭素数９〜１５、好ましくは９又は１３の多分岐鎖アルキル硫酸エステル塩も好適に用いることができる。
【００２１】
本発明では、（ｂ1-1）成分の中でも、特に（ｂ1-1-1）成分が、洗浄力、貯蔵安定性の点から好適である。
【００２２】
（ｂ1-2）は、炭素数８〜１４の１−アルケンをヒドロホルミル化して得られたアルコールに、エチレンオキシド及び／又はプロピレンオキシド、好ましくはエチレンオキシドを付加させて得られるポリオキシアルキレンアルキルエーテルを、３酸化硫黄もしくはクロロスルホン酸を用いて硫酸エステル化して得ることができる。アルキレンオキシドの平均付加モル数は、１〜６、好適には１〜３である。ヒドロホルミル化反応によると、一酸化炭素がオレフィン炭素のα位に付加して得られる直鎖１級アルコールとβ位に付加して得られる分岐鎖１級アルコールとの混合物が得られる。
【００２３】
このような混合物を硫酸エステル化した場合、（ｂ1-2-1）硫酸エステル基に対してβ位にメチル基が分岐した炭素数９〜１５の分岐鎖ポリオキシアルキレンアルキル硫酸エステル塩、及び（ｄ1-2）炭素数９〜１５の直鎖ポリオキシアルキレンアルキル硫酸エステル塩の混合物が得られる。
【００２４】
本発明では（ｂ1-2-1）／（ｄ1-2）が、モル比で０．２〜０．８が好ましく、より好ましくは０．３〜０．８、特に好ましくは０．３〜０．７の混合物である。
【００２５】
（ｂ1-2）成分として好ましいもう一つの化合物としては、炭素数４〜８のアルデヒドをアルドール縮合させた後、還元して得られるゲルベ型アルコールを３酸化硫黄もしくはクロロスルホン酸を用いて硫酸エステル化して得られる化合物も好適である。この場合、（ｂ1-2-2）硫酸エステル基に対してβ位に炭素数２〜６のアルキル基が分岐した炭素数８〜１６の分岐鎖アルキル硫酸エステル塩が得られる。
【００２６】
本発明ではこれら以外に例えばイソブテンの２両体をヒドロホルミル化して得られる３，５，５−トリメチルヘキサノール、イソブテンの３両体をヒドロホルミル化して得られる多分岐トリデカノールを硫酸エステル化して得られる、（ｂ1-2-3）メチル基が２〜６個分岐した炭素数９〜１５、好ましくは９又は１３の多分岐鎖アルキル硫酸エステル塩も好適に用いることができる。
【００２７】
本発明では、（ｂ1-2）成分の中でも、特に（ｂ1-2-1）成分が洗浄力、貯蔵安定性の点から好適である。
【００２８】
本発明では、（ｂ1-1）成分と（ｂ1-2）成分を併用することが、洗浄力を高めると共に低温における課題を解決する目的から好ましく、（ｂ1-1）成分／（ｂ1-2）成分は、質量比で０．１〜０．５が好ましく、より好ましくは０．１〜０．４、特に好ましくは０．１５〜０．３である。
【００２９】
本発明の（ｂ２）成分としては、下記一般式（１）の化合物が好ましい。
【００３０】
【化１】
2007016132.tif 000002
【００３１】
〔式中、Ｒ１１は、分岐構造を有する炭素数８〜１６のアルキル基であり、Ｒ１２は、炭素数２又は３のアルキレン基であり、Ｒ１３、Ｒ１４は、炭素数１〜３のアルキル基及び／又はヒドロキシアルキル基である。Ａは、−ＣＯＯ−、−ＣＯＮＨ−から選ばれる基であり、ｎは、０又は１の数である〕。
【００３２】
一般式（１）においてｍが０の化合物（ｂ2-1）は、例えば分岐構造を有する炭素数８〜１６のアルデヒド化合物を用いて通常のアミノ化反応を行い、得られた３級アミンを過酸化水素で酸化して得ることができる。アルデヒド化合物としては、２−エチルヘキサナール、２−ブチルオクタナールなどのβ位に、炭素数１〜６のアルキル基が分岐した炭素数８〜１６のアルデヒドを用いることができる。
【００３３】
一般式（１）においてｍが１の化合物（ｂ2-2）は、分岐構造を有する炭素数８〜１６の脂肪酸とＢ−Ｒ１２−Ｎ（ＣＨ３）２〔ＢはＨ２Ｎ−又はＨＯ−〕と反応させた後、過酸化水素で酸化して得ることができる。分岐構造を有する炭素数８〜１６の脂肪酸としては、２−エチルヘキサン酸、２−ブチルオクタン酸、３，５，５−トリメチルノナン酸、イソデカン酸が好適である。
【００３４】
本発明では、（ｂ２）の化合物としては、（ｂ2-2）の化合物が、洗浄力、貯蔵安定性の点から好適である。
【００３５】
本発明の（ｂ３）成分としては、下記一般式（２）の化合物が好適である。
【００３６】
Ｒ２１−Ｏ−Ｄ      （２）
〔式中、Ｒ２１は、２−エチルヘキシル、イソノニル、イソデシルから選ばれる基であり、Ｄは、−ＣＨ２ＣＨ（ＯＨ）ＣＨ２ＯＨ、−（Ｒ２２Ｏ）ｎＧｏ、−（Ｒ２３Ｏ）ｐ−ＯＨから選ばれる基である。ここで、Ｒ２２、Ｒ２３は、炭素数２又は３のアルキレン基であり、Ｇは還元糖に由来する残基である。ｎは、平均値０〜６の数、ｏは、平均値１〜５の数、ｐは、平均値２〜５の数を示す〕。
【００３７】
（ｂ３）成分としては、より具体的には、
（ｂ3-1）下記一般式（２−１）の化合物、
（ｂ3-2）一般式（２−２）の化合物、
（ｂ3-3）一般式（２−３）の化合物が好適である。
【００３８】
Ｒ２１−Ｏ−ＣＨ２ＣＨ（ＯＨ）ＣＨ２ＯＨ      （２−１）
Ｒ２１−Ｏ−（Ｒ２２Ｏ）ｎＧｏ                  （２−２）
Ｒ２１−Ｏ−（Ｒ２３Ｏ）ｐ−ＯＨ               （２−３）
〔式中、Ｒ２１、Ｒ２２、Ｒ２３、ｎ、ｏ、ｐは、上記と同一の意味である〕。
【００３９】
（ｂ3-1）成分である一般式（２−１）の化合物は、２−エチルヘキサノール、イソノニルアルコール及び／又はイソデシルアルコールとエピハロヒドリンやグリシドール等のエポキシ化合物を、ＢＦ３等の酸触媒、あるいはアルミニウム触媒を用いて反応させて製造する方法が一般的であり、特開２００１−４９２９１号公報に記載されているように複数の生成物を含む混合物である。具体的には、アルキルモノグリセリルエーテルとして、エポキシ化合物の１位に２−エチルヘキサノールが付加した化合物〔３−（２−アルキルオキシ）−１，２−プロパンジオール〕や、エポキシ化合物の２位に付加した化合物〔２−（２−アルキルオキシ）−１，３−プロパンジオール）が挙げられる。
【００４０】
また、副生成物として、これら化合物に更にエポキシ化合物が付加した多付加化合物が挙げられる。本発明では、多付加化合物の含有量が２−アルキルモノグリセリルエーテルに対して３０質量％以下、好ましくは１０質量％以下、特に好ましくは１質量％以下の２−アルキルモノグリセリルエーテルを用いることが好適である。
【００４１】
（ｂ3-2）成分である一般式（２−２）の化合物において、Ｇは還元糖に由来する残基であり、原料の還元糖としては、アルドースとケトースの何れであっても良く、また、炭素数が３〜６個のトリオース、テトロース、ペントース、ヘキソースを挙げることができる。アルドースとしては、アピオース、アラビノース、ガラクトース、グルコース、リキソース、マンノース、ガロース、アルドース、イドース、タロース、キシロースを挙げることができ、ケトースとしては、フラクトースを挙げることができる。本発明では、これらの中でも特に炭素数５又は６のアルドペントースあるいはアルドヘキソースが好ましく、中でもグルコースが最も好ましい。
【００４２】
Ｇの還元糖としては上記単糖類が好ましいが、これら単糖が２〜５個、好ましくは２又は３個縮合したオリゴ糖を用いても差し支えない。更には単糖とオリゴ糖が混合したものでもよく、この場合には平均縮合度は１〜５、好ましくは１〜３、特に好ましくは１〜２が好適であり、１〜１．５が最も好ましい。
【００４３】
（ｂ3-2）成分である一般式（２−２）の化合物において、ｎが０の化合物は、２−エチルヘキサノール、イソノナノール、イソデカノールと上記還元糖とを酸触媒を用いてアセタール化反応又はケタール化反応することで容易に合成することができる。また、ｎが０ではない化合物は、２−エチルヘキサノール、イソノナノール、イソデカノールにアルキレンオキシドを付加させることで得られるＲ２１−（ＯＲ２２）ｎ−ＯＨと還元糖とを酸触媒を用いて、アセタール化反応又はケタール化反応することで容易に合成することができる。これらはアセタール化反応の場合、ヘミアセタール構造であっても良く、通常のアセタール構造であっても良い。
【００４４】
なお、２−エチルヘキサノールは、ｎ−ブチルアルデヒドをアルドール縮合させた後、水素化して得ることができる。イソノナノールは、ジイソブチレンをオキソ法でヒドロホルミル化した後、水素化して得られ、代表的な構造は、３，５，５−トリメチルヘキサノールである。また、イソデカノールは、ノネンをオキソ法でヒドロホルミル化した後、水素化して得られるもので、アルキル鎖の各位置にメチル分岐を有する多くの異性体の混合物であり、代表的な構造は８−メチル−１−ノナノールである。
【００４５】
（ｂ3-3）成分である一般式（２−３）の化合物は、２−エチルヘキサノール、イソノナノール、イソデカノールとアルキレンオキシド、好ましくはプロピレンオキシド及び／又はエチレンオキシド、特にエチレンオキシドを、アルコール／アルキレンオキシドのモル比を１／２〜１／５で反応させて得られ、未反応のアルコールを含むｐが０〜１０程度の化合物の混合物である。これらは蒸留等の操作を行って未反応アルコール（ｐ＝０の化合物）及びｐ＞５以上の化合物を除去したものを用いても差し支えない。
【００４６】
本発明では、未反応アルコールが（ｂ3-3）成分中に５〜５０質量％程度含有される、未反応アルコールを含むｐの平均値が２〜５である化合物が好適である。なお、平均値はＨ１−ＮＭＲを用い、２−エチルヘキシル基、イソノナノール、イソデカノールのα位のプロトンとオキシエチレン基のプロトンとの積分値で容易に求めることができる。
【００４７】
本発明では、（ｂ３）成分としては（ｂ3-1）成分である一般式（２−１）の化合物が好適であり、特にＲ２１が２−エチルヘキシル基のものが好適である。
【００４８】
本発明の（ｂ）成分としては、（ｂ1-1）成分、（ｂ1-2）成分、及び（ｂ３）成分が好適であり、特に（ｂ1-1）成分、（ｂ1-2）成分及び（ｂ3-1）成分を併用することが好適である。
【００４９】
＜（ｃ）成分＞
本発明の（ｃ）成分は、炭素数６〜１６の直鎖炭化水素基を有するアルカノールアミド型界面活性剤であり、下記一般式（３）の化合物が好適である。
【００５０】
【化２】
2007016132.tif 000003
【００５１】
〔式中、Ｒ３１−ＣＯは、炭素数８〜２０の直鎖アシル基であり、Ｒ３２は、メチル基、エチル基又は−（Ｃ２Ｈ４Ｏ）ｑ−Ｈである。Ｒ３３は、−（Ｃ２Ｈ４Ｏ）ｒ−Ｈである。ｑ、ｒは、それぞれ０〜５の数であり、ｑ＋ｒは、１〜６である〕。
【００５２】
一般式（３）の化合物において、Ｒ３１ＣＯ−は、炭素数８〜１８の直鎖アシル基が好ましい。好ましい具体例としては、オクタン酸、デカン酸、ドデカン酸、テトラデカン酸、ヘキサデカン酸、オクタデカン酸、ドコサン酸、リノール酸、オレイン酸から誘導されるアシル基を挙げることができ、特に好ましくは、オクタン酸、デカン酸、ドデカン酸、テトラデカン酸、ヘキサデカン酸、オクタデカン酸、オレイン酸から誘導されるアシル基である。
【００５３】
また、本発明では、該アシル基が単独のアルキル基又はアルケニル基であっても差し支えないが、Ｒ３１ＣＯ−に対応する脂肪酸が混合脂肪酸であることが、洗浄効果及び起泡力の点から好適である。好ましい混合脂肪酸組成は、以下の組成である。なお、これら以外の脂肪酸を含有しても差し支えないが、下記に示した脂肪酸の合計質量が１００質量％となるように調製されることが貯蔵安定性の点から望ましい。
【００５４】
カプリル酸；１〜１０重量％、好ましくは３〜６重量％
カプリン酸；１〜１２重量％、好ましくは３〜７重量％
ラウリン酸；４４〜６０重量％、好ましくは４４〜５５重量％
ミリスチン酸；１０〜２２重量％、好ましくは１０〜１７重量％
パルミチン酸；４〜１０重量％、好ましくは６〜１０重量％
ステアリン酸；０〜１０重量％、好ましくは１〜７重量％
オレイン酸；０〜１７重量％、好ましくは１〜１７重量％
一般式（３）の化合物において、Ｒ３２は、メチル基、エチル基又は−（Ｃ２Ｈ４Ｏ）ｑ−Ｈであり、洗浄効果の持続性の点から好ましくはメチル基又は水素原子（ｑ＝０）である。Ｒ３３は、−（Ｃ２Ｈ４Ｏ）ｒ−Ｈであり、ｒは洗浄効果の持続性の点から好ましくは１〜５、特に好ましくは１〜３の数である。
【００５５】
一般式（３）の化合物の好ましい例としては、一般式（３−１）及び一般式（３−２）を挙げることができる。
【００５６】
【化３】
2007016132.tif 000004
【００５７】
〔式中、Ｒ３１、ｒは、上記と同じ意味である〕。
【００５８】
＜その他成分＞
本発明では、上記（ｂ）成分及び（ｃ）成分以外に洗浄力を増強する目的から、直鎖炭化水素基を有する界面活性剤〔以下（ｄ）成分という〕を含有することが好適である。
【００５９】
（ｄ）成分としては、（ｂ）成分以外の陰イオン界面活性剤〔（ｄ１）成分〕を用いることができ、
（ｄ1-1）炭素数９〜１５の直鎖アルキル硫酸エステル塩、及び
（ｄ1-2）炭素数９〜１５の直鎖ポリオキシアルキレンアルキル硫酸エステル塩が好適であるが、これ以外の陰イオン界面活性剤として、
（ｄ1-3）炭素数１０〜１５のアルキルベンゼンスルホン酸塩、炭素数８〜１５のα−オレフィンスルホン酸塩、炭素数１２〜１８のα−スルホ脂肪酸メチルエステル塩を好適に使用することができる。
【００６０】
本発明では、（ｃ）成分以外の直鎖炭化水素基を有する非イオン界面活性剤（ｄ２）を用いることが好適である。（ｄ２）成分としては、下記一般式（４）の化合物（ｄ2-1）及び下記一般式（５）の化合物（ｄ2-2）から選ばれる１種以上が好ましい。
【００６１】
Ｒ４１−Ｏ−（ＢＯ）ｓ−Ｈ      （４）
〔式中、Ｒ４１は、炭素数１０〜１６の直鎖炭化水素基であり、好適には１０〜１４のアルキル基である。Ｂは、エチレン基、又はプロピレン基であり、好適にはエチレン基である。ｓは、平均付加モル数であり、好適には２〜１８、より好適には６〜１６の数である〕。
Ｒ５１−Ｏ−（Ｒ５２Ｏ）ｔＧｕ      （５）
〔式中、Ｒ５１は、直鎖の炭素数８〜１６、好ましくは１０〜１６、特に好ましくは１０〜１４のアルキル基、Ｒ５２は、炭素数２〜４のアルキレン基、好ましくはエチレン基又はプロピレン基、特に好ましくはエチレン基であり、Ｇは、還元糖に由来する残基、ｔは、平均値０〜６の数、ｕは、平均値１〜１０、好ましくは１〜５、特に好ましくは１〜２の数を示す〕。
【００６２】
一般式（５）において、Ｇは還元糖に由来する残基であり、原料の還元糖としては、アルドースとケトースの何れであっても良く、また、炭素数が３〜６個のトリオース、テトロース、ペントース、ヘキソースを挙げることができる。アルドースとしては、アピオース、アラビノース、ガラクトース、グルコース、リキソース、マンノース、ガロース、アルドース、イドース、タロース、キシロースを挙げることができ、ケトースとしては、フラクトースを挙げることができる。本発明では、これらの中でも特に炭素数５又は６のアルドペントースあるいはアルドヘキソースが好ましく中でもグルコースが最も好ましい。
【００６３】
一般式（５）の化合物は、上記還元糖とＲ５１−（ＯＲ５２）ｔ−ＯＨとを酸触媒を用いて、アセタール化反応又はケタール化反応することで容易に合成することができる。また、アセタール化反応の場合、ヘミアセタール構造であっても良く、通常のアセタール構造であっても良い。
【００６４】
本発明では、直鎖アルキル基を有する両性界面活性剤（ｄ３）を含有することが好適である。（ｄ３）成分としては、下記一般式（６）の化合物が好適である。
【００６５】
【化４】
2007016132.tif 000005
【００６６】
〔式中、Ｒ６１は、炭素数１０〜１６の直鎖炭化水素基であり、好適には１０〜１４のアルキル基である。Ｒ６２は、炭素数２又は３のアルキレン基であり、Ｒ６３、Ｒ６４は、炭素数１〜３のアルキル基及び／又はヒドロキシアルキル基である。Ｄは、−ＣＯＯ−、−ＣＯＮＨ−から選ばれる基であり、ｖは、０又は１の数である。Ｅは、−ＣＨ２ＣＯＯ−、−Ｃ３Ｈ６ＳＯ３−、又は−ＣＨ２ＣＨ（ＯＨ）ＣＨ２ＳＯ３−であり、好適には−ＣＨ２ＣＨ（ＯＨ）ＣＨ２ＳＯ３−である〕。
【００６７】
本発明では、直鎖アルキル基を有するアミンオキシド型界面活性剤（ｄ４）を含有することが好適である。（ｄ４）成分としては、下記一般式（７）の化合物が好適である。
【００６８】
【化５】
2007016132.tif 000006
【００６９】
〔式中、Ｒ７１は、分岐構造を有する炭素数８〜１６のアルキル基であり、Ｒ７２は、炭素数２又は３のアルキレン基であり、Ｒ７３、Ｒ７４は、炭素数１〜３のアルキル基及び／又はヒドロキシアルキル基である。Ｆは、−ＣＯＯ−、−ＣＯＮＨ−から選ばれる基であり、ｗは、０又は１の数である〕。
【００７０】
本発明では、洗浄力及び起泡力を低下させずに低温貯蔵安定性を改善する目的から、炭素数１〜３のアルキル基及びヒドロキシ基で置換していてもよいベンゼンスルホン酸（塩）及びベンゼンカルボン酸（塩）から選ばれる化合物〔（ｅ）成分〕を含有することが好ましく、具体的には、ｐ−トルエンスルホン酸（塩）、メタキシレンスルホン酸（塩）、クメンスルホン酸（塩）、安息香酸（塩）、サリチル酸（塩）、ｐ-ヒドロキシ安息香酸（塩）を挙げることができ、特に安息香酸が好適である。
【００７１】
本発明では、貯蔵安定性の改善目的及び粘度調節剤として、溶剤〔以下、（ｆ）成分という〕を含有することができる。溶剤の具体例としては、エタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテルから選ばれる水溶性有機溶媒が好ましい。
【００７２】
本発明では、ゲル化防止のための重合体、例えば特表平１１−５１３０６７号公報に記載されているゲル化防止重合体〔以下、（ｈ）成分という〕、とりわけポリアルキレングリコールを含有することが、粘度調節及び貯蔵安定性の点から好ましい。ゲル化防止としてのポリアルキレングリコールの具体例としては、ポリエチングリコールを標準としたときのゲルパーミエーションクロマトグラフィーによって求められた重量平均分子量が２００〜３０００のポリプロピレングリコール、及びポリエチレングリコールを挙げることができる。
【００７３】
一般的に洗浄力増強剤として用いられるＭｇについては、（ａ）成分を高配合している本発明の洗浄剤においては、（ａ）成分と併用すると洗浄力増強効果が減じる恐れがあるため配合量には注意を要する。Ｍｇの配合量は、０．０００１〜５質量％が好ましく、０．０００１〜１質量％がより好ましく、０．０００１〜０．４質量％が更に好ましく、０．０００１〜０．１質量％が特に好ましい。尚、この際配合に用いるＭｇ含有化合物としては、水に溶解しやすいものが良く、具体的には、塩化マグネシウム、硝酸マグネシウム、炭酸マグネシウム、硫酸マグネシウムが好ましい。また、溶解に時間はかかるが水酸化マグネシウムやリン酸マグネシウムも使用可能である。
【００７４】
その他にも、粘度特性に影響して使い勝手を損なわない限り、通常液体洗浄剤に配合されている成分を配合することができる。例えば、香料成分、除菌成分、防腐剤、濁り剤、着色剤を挙げることができる。
【００７５】
＜硬質表面用洗浄剤＞
本発明の洗浄剤中の各成分の含有割合は、下記のとおりである。
【００７６】
（ａ）成分の含有割合は、無機質汚れ洗浄性能の観点から、２．５〜８質量％、好ましくは２．５〜７質量％、より好ましくは３〜６質量％である。
【００７７】
（ｂ）成分の含有割合は、無機質汚れ洗浄効果、起泡力、油汚れ洗浄効果、及び貯蔵安定性の観点から、２〜２５質量％、好ましくは２〜２０質量％、より好ましくは２〜１５質量％である。
【００７８】
（ｃ）成分の含有割合は、起泡力、油汚れ洗浄効果、及び貯蔵安定性の観点から、３〜１５質量％、好ましくは５〜１５質量％、より好ましくは５〜１１質量％である。
【００７９】
（ｂ）成分／（ｃ）成分は、無機質汚れ洗浄力、起泡力、油汚れ洗浄力、及び貯蔵安定性の観点から、質量比で０．５〜１０が好ましく、より好ましくは０．５〜８、特に好ましくは０．５〜５である。
【００８０】
本発明の（ｄ）成分は、洗浄力を向上させると共に貯蔵安定性を改善する目的から含有することが好ましく、２．５〜２５質量％が好ましく、より好ましくは３〜２０質量％、特に好ましくは４〜１５質量％である。
【００８１】
本発明では、（ｂ）成分、（ｃ）成分、（ｄ）成分の合計は、洗浄力及び貯蔵安定性の点から、７．５〜６０質量％が好ましく、より好ましくは１０〜５０質量％、特に好ましくは１１〜３１質量％である。
【００８２】
本発明では、陰イオン性界面活性剤（ｂ１）成分、（ｄ１）成分の合計は、洗浄力の観点から、５〜３０質量％が好ましく、より好ましくは５〜２５質量％、特に好ましくは１０〜２０質量％である。
【００８３】
本発明では、陰イオン界面活性剤とイオン的に複合体を形成する（ｂ２）成分、（ｄ３）成分、（ｄ４）成分の合計量は、２〜１５質量％が好ましく、より好ましくは２〜１０質量％、特に好ましくは２〜７質量％である。
【００８４】
本発明では、陰イオン界面活性剤と、該活性剤とイオン的に複合体を形成する界面活性剤の質量比〔（ｂ１）成分＋（ｄ１）成分〕／〔（ｂ２）成分＋（ｄ３）成分＋（ｄ４）成分〕は、０．３〜１５が好ましく、より好ましくは０．５〜１２．５、特に好ましくは１．４〜１０である。
【００８５】
本発明では、質量比（ｂ）成分／〔（ｂ）成分＋（ｃ）成分+（ｄ）成分〕は、０．０３〜３．３が好ましく、より好ましくは０．０４〜２、特に好ましくは０．０６〜１．４であることが、洗浄力、低温貯蔵安定性の点から好適である。
【００８６】
本発明の（ｅ）成分は、洗浄力を低下させることがなく、低温貯蔵安定性を改善する目的から含有することが好ましく、１〜１０質量％が好ましく、より好ましくは２〜１０質量％、特に好ましくは２．５〜８質量％である。
【００８７】
本発明の（ｆ）成分は、貯蔵安定性の向上の点及び、粘度調節剤として有効であり、０．０５〜１０質量％が好ましく、より好ましくは０．０５〜５質量％、特に好ましくは０．１〜３質量％である。
【００８８】
本発明の洗浄剤は、上記成分を水に溶解又は分散させた液状の形態であり、水は、（ａ）〜（ｃ）成分、及び必要に応じて含有する他の成分を含めて、合計で１００質量％とする調整量であるが、貯蔵安定性の点から、好ましくは２０〜６０質量％、更に好ましくは３０〜６０質量％、より好ましくは４０〜６０質量％、特に好ましくは４５〜５５質量％である。
【００８９】
本発明の洗浄剤のｐＨ（２５℃）は、油汚れなど（食器洗浄時）と水垢汚れなど（キッチンシンク洗浄時）の両方に対する洗浄性能を高める観点から、３以上７未満、好ましくは３以上６未満であり、より好ましくは４以上６未満であり、特に好ましくは４．５以上６未満である。
【００９０】
ｐＨ調整剤としては、塩酸や硫酸など無機酸、クエン酸、コハク酸、リンゴ酸、フマル酸、酒石酸、マロン酸、マレイン酸などの有機酸などの酸剤や、水酸化ナトリウムや水酸化カリウム、アンモニアやその誘導体、モノエタノールアミンやジエタノールアミン、トリエタノールアミンなどのアミン塩など、炭酸ナトリウム、炭酸カリウムなどのアルカリ剤を、単独もしくは複合して用いることが好ましく、特に塩酸、硫酸、クエン酸から選ばれる酸と水酸化ナトリウムや水酸化カリウムから選ばれるアルカリ剤を用いることが好ましい。いずれの化合物も、粘度特性に対し大きな影響のない範囲で配合される。
【００９１】
本発明の洗浄剤は、使い勝手の点から２０℃における粘度を好ましくは１０〜１０００mPa・s、より好ましくは３０〜７００mPa・s、特に好ましくは５０〜５００mPa・sである。このような粘度には、例えば上記（ｄ）成分、（ｅ）成分、（ｆ）成分などを用いて調整する。
【００９２】
本発明でいう粘度は、以下のようにして測定する。まず、ＴＯＫＩＭＥＣ.ＩＮＣ製Ｂ型粘度計モデルＢＭに、ローター番号Ｎｏ．２のローターを備え付けたものを準備する。試料をトールビーカーに充填し２０℃の恒温槽内にて２０℃に調整する。恒温に調整された試料を粘度計にセットする。ローターの回転数を６０ｒ／ｍに設定し、回転を始めてから６０秒後の粘度を本発明の粘度とする。
【００９３】
本発明の洗浄剤を用いて洗浄する場合は、スポンジなどの可撓性材料（好ましくは水を含む）に染み込ませ、直接食器、調理用器具、シンクなどに接触させて洗浄を行う方法を適用できる。
【００９４】
本発明の洗浄剤は、油汚れと水垢汚れなどに対する洗浄性能が優れているため、油汚れと水垢汚れを含む洗浄対象用の洗浄剤として適用できる。具体的には、食器洗い用洗浄剤、台所廻り用洗浄剤として適しており、その他、洗面台用洗浄剤、浴室用洗浄剤、トイレ用洗浄剤などの水廻り用の洗浄剤としても適用できる。
【実施例】
【００９５】
＜各使用成分＞
実施例において用いた各成分を下記に示す。
・ＡＳＩ（オキソ法アルキル硫酸エステルナトリウム）
原料アルコールは１−デセン及び１−ドデセン５０／５０（wt/wt）を原料にヒドロホルミル化して得られたアルコールであり、該アルコールを三酸化イオウにより硫酸化し、水酸化ナトリウムで中和した。ＡＳＩ中の分岐アルキル硫酸エステルナトリウムの割合は４０質量％であった。即ち、ＡＳＩには、（ｂ11-1-1）成分及び（ｄ1-1）成分が（ｂ11-1-1）／（ｄ1-1）＝０．４の質量比の混合物である。
・ＥＳＩ
イソトリデカノールにＥＯを平均２モル付加させた化合物から得たポリオキシアルキレン分岐鎖アルキルエーテル硫酸エステルナトリウム
・ＥＳII（オキソ法ポリオキシエチレンアルキルエーテル硫酸ナトリウム）
原料アルコールは１−デセン及び１−ドデセン５０／５０（wt/wt）を原料にヒドロホルミル化して得られたアルコールである。このアルコールにエチレンオキシドを平均２モル付加させた後、三酸化イオウにより硫酸化し、水酸化ナトリウムで中和した。全ポリオキシエチレンアルキルエーテル硫酸ナトリウム中の全ポリオキシエチレン分岐アルキルエーテル硫酸ナトリウムの割合は２２質量％であった。すなわちＥＳIIは（ｂ1-2-1）成分及び（ｄ1-2）成分が（ｂ1-2-1）／（ｄ1-2）＝０．２２の質量比の混合物である。）
・ＥＳIII
ポリオキシエチレンラウリルエーテル硫酸エステルナトリウム（ＥＯ平均付加モル数２）
・ＡＯＩ
アミンオキシドＩ：Ｎ−イソノナノイルアミノプロピル−Ｎ，Ｎ−ジメチルアミンオキシド
・ＡＯII
２−エチルヘキシルアルデヒドにメチルアミンを付加させて得られたイミンを水素化して得られた２級アミンを更に蟻酸／ホルムアルデヒドによりアルキル化（一般にロイカルト法として知られるアルキル化方法）して得られるＮ−（２−エチルヘキシル）−Ｎ，Ｎ−ジメチルアミンを過酸化水素で酸化して得られるアミンオキシド
・ＡＯIII
ラウリルジメチルアミンオキシド
・ノニオンＩ
イソデカノールにエチレンオキシドを平均２モル付加させた化合物
・ノニオンII
２−エチルヘキシルグリセリルエーテル
・ノニオンIII
イソノニルグリコシド（グルコースの平均縮合度は１．２）
・ノニオンIV
ラウリルアルコールにエチレンオキシドを平均８モル付加させた化合物
・ノニオンＶ
アルキル基の組成が炭素数１２／炭素数１４＝６０／４０の直鎖混合アルキルであり、グルコシド平均縮合度１のアルキルグルコシド
・アルカノールアミドI
ココ脂肪酸メチルエタノールアミド（脂肪酸組成；ラウリン酸５４％、ミリスチン酸１６％、パルミチン酸８％、カプリル酸８％、カプリン酸８％、ステアリン酸１０％）
・アルカノールアミドII
脂肪酸ジエタノールアミド（脂肪酸組成；カプリン酸１０％、ラウリン酸６０％、パルミチン酸２５％、パルミチン酸５％）
・ｐ−ＴＳ
ｐ−トルエンスルホン酸ナトリウム
・抗菌剤
プロキセルＢＤＮ（アビシア株式会社製）
ｐＨ：洗浄剤のｐＨ（２５℃）は、１／１０規定−硫酸水溶液又は１／１０規定−水酸化ナトリウムを用いて調整した。
【００９６】
＜液体洗浄剤組成物＞
各成分を用いて表１の液体洗浄剤組成物を調製した。これら組成物を用いて、下記に示す無機質汚れ洗浄力、油汚れ洗浄力、起泡性、及び低温貯蔵安定性を評価した。結果を表１に示す。
【００９７】
〔無機質汚れ洗浄力評価〕
研磨仕上げしたステンレステストピース（ＳＵＳ３０４製、１５ｃｍ×７ｃｍ）を中性洗剤で洗浄して表面油分を取り除いた後、イオン交換水ですすぎ、風乾させた。各テストピースの重量を測定した後（初期ピース重量）、自動食器洗い乾燥機（松下電器産業（株
）製；ＮＰ-７２０）内のかごにクリップを用いて３２枚固定した。洗剤投入口に牛乳２３ｍｌ、水酸化カルシウム１５ｇ、炭酸カルシウム１５ｇを投入し、通常モードで洗浄機を作動させた。この操作を２回繰り返した後、更に牛乳２３ｍｌ、オルトケイ酸ナトリウム１５ｇ、塩化カルシウム１５ｇで洗浄機を通常モードで作動させた。
【００９８】
操作終了後、自動食器洗い乾燥機からテストピースを取り出し、テストピースの温度が室温に戻ってから、重量を測定し（評価前ピース重量）ピースに固着した汚れ量を算出した。
【００９９】
次に、イオン交換水で１０％の水溶液に希釈した表１の洗浄剤中（120ｍｌ）に、モデル汚れ固着ピースを５分間浸漬し、３０秒間流水で洗浄後、自然乾燥した。乾燥後に重量を測定することで（評価後ピース重量）、ピースに残留している汚れ量を求めた。無機質汚れ（水垢汚れ除去）性能を示す基準として無機質汚れ除去率を以下に定義し、各洗浄剤の無機質汚れ除去率を算出した。
【０１００】
【数１】
2007016132.tif 000007
【０１０１】
各試験に１０枚のテストピースを用い１０枚の平均値を求め、平均値が７５％以上の場合を優、５０％以上７５％未満を良、２５％以上５０％未満を可、２５％未満を付加として評価した。
【０１０２】
〔油汚れ洗浄力評価〕
菜種油／牛脂を１／１の質量比で混合し、更に０．１質量％の色素（スタンレッド）を均一に混ぜ込んだモデル油汚れ１ｇを陶器製の皿に均一に塗り広げたものをモデル汚染食器とした。
【０１０３】
市販のスポンジ（住友３Ｍ社製：スコッチブライト）に表１の洗浄剤１ｇ及び水道水３０ｇを染み込ませ、２〜３回手でもみ泡立たせた。これを用いてモデル汚染食器を擦り洗いし、洗浄（食器に付着した色が消えることにより確認）できた皿の枚数を求めた。この操作を訓練したパネラー５人により実施し、５人の平均を求め、洗浄できた枚数が１０枚以上の場合を優、８以上１０枚未満を良、５枚以上８枚未満を可、５枚未満を不可として評価した。
【０１０４】
〔起泡力評価〕
訓練したパネラー５人により、市販のスポンジ（住友３Ｍ社製：スコッチブライト）に表１の洗浄剤１ｇ及び水道水３０ｇを染み込ませ、２〜３回手でもみ泡立たせた時の泡立ち性を官能評価し、満足できる泡立ち性を示す場合を５点、やや泡立ち性が不足している場合を３点、あきらかに泡立ち性が不足している場合を１点として評価し、５人の平均を求めた。平均が４点以上の場合を良、２．５以上４点未満を可、２．５以下を不可として評価した。
【０１０５】
〔低温貯蔵安定性評価〕
表１の組成物を広口規格ビンＰＳ−Ｎｏ６に２５ｇ入れ、−５℃の恒温室に２０日間貯蔵した。貯蔵後の外観を目視で観察し、外観に変化がない場合を合格、外観に変化が見られた場合を不合格として評価した。
【０１０６】
【表１】
2007016132.tif 000008
【０１０７】
無機質汚れ洗浄力は、実施例１〜６はすべて優であった。また、比較例１、２、４は良であった。一方、比較例３は（ａ）成分を含有しないため可であった。
【０１０８】
油汚れ洗浄力は、実施例１〜３は良であり、４〜６は優であった。一方、比較例１、２、４は（ｂ）／（ｃ）比が本発明の範囲外であるため（比較例１は（ｂ）成分を含まない）可であり、比較例３は良であった。
【０１０９】
起泡力は、実施例１〜６はすべて優であったが、比較例１、２、４は不可であり、特に比較例４は泡立ち性が悪かった。比較例３は良であった。
【０１１０】
低温貯蔵安定性は、実施例１〜６はすべて合格であるのに対し、比較例１、２、４は（ｂ）／（ｃ）比が本発明の範囲外であるため不合格であった。比較例３は合格であった。